(57)【要約】【課題】  磁気ブラシの感光体への機械的摺擦によるトナー画像の損傷を抑制する。【解決手段】  カラープリンタ１０では、現像ローラ３８表面に形成された磁気ブラシ４２によってトナーが感光体１３へ移行されることで、感光面１３Ａの潜像が現像されて、感光面１３Ａにトナー画像が形成される。ここで、現像ローラ３８が感光面１３Ａの潜像を現像する感光体１３と現像ローラ３８との間の現像ニップＮよりスリーブ３８Ａ回転方向ｃ上流側において、現像ニップＮ側への変位に伴う磁気ブラシ４２の現像ローラ３８表面に対する感光体１３側への回転が抑制される。このため、磁気ブラシ４２の感光面１３Ａへの機械的摺擦による作用力を小さくでき、トナー画像の損傷を抑制できる。【選択図】    図５
2006267488.tif 000002
【特許請求の範囲】
【請求項１】
回転され、露光により表面に潜像が形成される感光体と、
前記感光体と対向する現像ローラであって、トナーを有する磁性の現像剤をその周面に沿って前記感光体の移動方向とは逆方向に移動させるとともに、前記感光体と対向する位置に前記現像剤の磁気ブラシを形成して前記感光体の潜像を現像する現像ローラと、
を備えた画像形成装置において、
前記現像ローラが前記感光体の潜像を現像する現像ニップ領域より前記感光体回転方向下流側において、前記現像ニップ側への変位に伴う前記磁気ブラシの前記現像ローラ表面に対する前記感光体側への回転を抑制する回転抑制手段を備えた画像形成装置。
【請求項２】
前記回転抑制手段は、前記現像ニップに接触する前記現像ローラ表面の接触領域より前記感光体回転方向下流側における前記現像ローラの少なくとも中心角１０度の範囲内において、磁束密度ベクトルの前記現像ローラ表面に対する角度の変化を２０度以下とする請求項１記載の画像形成装置。
【請求項３】
前記回転抑制手段は、前記現像ニップより前記感光体回転方向下流側において、前記現像ニップ側への変位に伴い、前記磁気ブラシを前記現像ローラ表面に対して回転させないか又は前記磁気ブラシを前記現像ローラ表面に対して前記現像ローラ側へ回転させる請求項１又は請求項２記載の画像形成装置。
【発明の詳細な説明】
【技術分野】
【０００１】
本発明は、現像ローラの表面に保持される磁気ブラシにより感光体表面の潜像を現像する画像形成装置に関する。
【背景技術】
【０００２】
表面が帯電され、露光されて潜像が形成される感光体と、前記感光体の表面にトナーを付着させ、当該表面の潜像を現像する現像手段と、前記現像手段で形成されたトナー画像を普通紙などの適宜の記録媒体に転写、定着させる転写定着手段と、を有する電子写真装置は、複写機やプリンタとして広く使用されている。
【０００３】
画像形成装置としては、現像手段として磁性キャリヤ粒子とトナーとが混合された現像剤で構成される磁気ブラシを使用する所謂二成分磁気ブラシ現像方式が広く利用されている。
【０００４】
ここで、この二成分磁気ブラシ現像方式では、磁気ブラシが感光体上にトナー画像を形成しながら感光体上を摺擦する際に、トナー画像が損傷されてトナー画像に所謂ブラシマークが発生し、画像品質が低下することが問題の１つとなっている。
【０００５】
ブラシマーク発生の原因の１つは、磁気ブラシを通して電荷がリークすることにより感光体の潜像が破壊されることによるものであり、これを改善するため、磁性キャリヤ粒子の電気特性や現像バイアスによる回避策が提案されている（例えば、特許文献１、特許文献２、特許文献３及び特許文献４参照）。
【０００６】
一方、発明者らの調査によれば、ブラシマークの発生は、上記電気的現象によらずに、磁気ブラシの機械的摺擦によることも見られ、この磁気ブラシの機械的摺擦によるブラシマークの発生は、特に磁気ブラシを保持する現像ローラの回転方向と感光体の回転方向とが逆になる所謂アゲインスト現象方式において顕著である。
【０００７】
この磁気ブラシの機械的摺擦によるブラシマークの発生を避けるために、感光体と磁気ブラシとを非接触状態とし、現像剤層に磁気的、電気的又は機械的手段によって擾乱効果を与えて現像させる所謂非接触現像方式のものが知られている（例えば、特許文献５参照）。特に磁気ブラシを保持する現像スリーブと感光体とが最近接している位置を避けて磁石ロールの磁極を配置し、現像剤層に水平磁界成分を作用させながら振動電界下で現像するタイプ（例えば、特許文献６参照）では、均一な現像剤の薄層が得られるため、トナー画像の磁気ブラシとの機械的な接触による乱れを回避できる。
【０００８】
しかしながら、この非接触現像方式では、感光体と磁気ブラシとが非接触であることにより、感光体への付着物（例えば帯電時に付着する放電生成物）を磁気ブラシが掻き取ることができず、現像性が低下するという技術的課題を有する。
【特許文献１】特公平７−１２００８６号公報
【特許文献２】特開平６−１６１１５７号公報
【特許文献３】特開平１０−５５１１３号公報
【特許文献４】特開平１０−７３９９６号公報
【特許文献５】特公平２−４９０３号公報
【特許文献６】特公平４−３６３８３号公報
【発明の開示】
【発明が解決しようとする課題】
【０００９】
本発明は上記事実を考慮し、磁気ブラシが感光体と摺擦する場合でも磁気ブラシの感光体への機械的摺擦によるトナー画像の損傷を抑制できる画像形成装置を得ることを目的とする。
【課題を解決するための手段】
【００１０】
請求項１に記載の画像形成装置は、回転され、露光により表面に潜像が形成される感光体と、前記感光体と対向する現像ローラであって、トナーを有する磁性の現像剤をその周面に沿って前記感光体の移動方向とは逆方向に移動させるとともに、前記感光体と対向する位置に前記現像剤の磁気ブラシを形成して前記感光体の潜像を現像する現像ローラと、を備えた画像形成装置において、前記現像ローラが前記感光体の潜像を現像する現像ニップ領域より前記感光体回転方向下流側において、前記現像ニップ側への変位に伴う前記磁気ブラシの前記現像ローラ表面に対する前記感光体側への回転を抑制する回転抑制手段を備えている。
【００１１】
請求項１に記載の画像形成装置では、感光体と現像ローラとが対向しており、感光体は露光により表面に潜像が形成され、現像ローラはトナーを有する磁性の現像剤をその周面に沿って感光体の移動方向とは逆方向に移動させる。さらに、現像ローラは、感光体と対向する位置に現像剤の磁気ブラシを形成して、感光体の潜像を現像する（感光体の表面にトナー画像を形成する）。
【００１２】
ここで、回転抑制手段が、現像ニップ領域（現像ローラが感光体の潜像を現像する領域）より感光体回転方向下流側において、現像ニップ側への変位に伴う磁気ブラシの現像ローラ表面に対する感光体側への回転を抑制する。このため、磁気ブラシが感光体と摺擦する場合でも、磁気ブラシの感光体への機械的摺擦による作用力を小さくすることができ、トナー画像の損傷を抑制することができる。
【００１３】
請求項２に記載の画像形成装置は、請求項１に記載の画像形成装置において、前記回転抑制手段は、前記現像ニップに接触する前記現像ローラ表面の接触領域より前記感光体回転方向下流側における前記現像ローラの少なくとも中心角１０度の範囲内において、磁束密度ベクトルの前記現像ローラ表面に対する角度の変化を２０度以下としている。
【００１４】
請求項２に記載の画像形成装置では、現像ニップに接触する現像ローラ表面の接触領域より感光体回転方向下流側における現像ローラの少なくとも中心角１０度の範囲内において、回転抑制手段が磁束密度ベクトルの現像ローラ表面に対する角度の変化を２０度以下とする。このため、磁気ブラシが感光体と摺擦する場合でも、磁気ブラシの感光体への機械的摺擦による作用力を適切に小さくしてトナー画像の損傷を適切に抑制することができる。さらに、回転抑制手段が磁束密度ベクトルの現像ローラ表面に対する角度の変化を抑制する範囲を狭くすることができるため、現像ローラ等の設計自由度を阻害することを抑制しつつ現像部を構成することができる。
【００１５】
請求項３に記載の画像形成装置は、請求項１又は請求項２に記載の画像形成装置において、前記回転抑制手段は、前記現像ニップより前記感光体回転方向下流側において、前記現像ニップ側への変位に伴い、前記磁気ブラシを前記現像ローラ表面に対して回転させないか又は前記磁気ブラシを前記現像ローラ表面に対して前記現像ローラ側へ回転させる。
【００１６】
請求項３に記載の画像形成装置では、現像ニップより感光体回転方向下流側において、回転抑制手段が、現像ニップ側への変位に伴い、磁気ブラシを現像ローラ表面に対して回転させないか、又は、磁気ブラシを現像ローラ表面に対して現像ローラ側へ回転させる。このため、磁気ブラシが感光体と摺擦する場合でも、磁気ブラシの感光体への機械的摺擦による作用力を一層適切に小さくしてトナー画像の損傷を一層適切に抑制することができる。
【発明の効果】
【００１７】
以上説明したように、本発明によれば、磁気ブラシが感光体と摺擦する場合でも磁気ブラシの感光体への機械的摺擦によるトナー画像の損傷を抑制することができる。
【発明を実施するための最良の形態】
【００１８】
本発明の画像形成装置の一例であるカラープリンタについて以下に説明する。
（１）構成
図１に示すように、カラープリンタ１０は、シアン、マゼンタ、イエロー、黒の４色のトナーによってカラー画像を形成するプリント部３０と、プリント部３０の下方に位置する給紙トレイ１６と、プリント部３０の上方に位置する集積トレイ１７と、を備える。
【００１９】
図２にも示すように、プリント部３０は、シアン、マゼンタ、イエロー、黒の各色の現像部としての現像ユニット１２Ｃ、１２Ｍ、１２Ｙ、１２Ｋと、夫々の現像ユニット１２Ｃ、１２Ｍ、１２Ｙ、１２Ｋによって現像される感光体１３Ｃ、１３Ｍ、１３Ｙ、１３Ｋと、中間転写ベルト１４と、を有する。現像ユニット１２Ｃ、１２Ｍ、１２Ｙ、１２Ｋと、感光体１３Ｃ、１３Ｍ、１３Ｙ、１３Ｋとは、中間転写ベルト１４に面して並列に配設されている。
【００２０】
カラープリンタ１０は、所謂タンデム式のフルカラープリンタであって、現像ユニット１２Ｃ、１２Ｍ、１２Ｙ、１２Ｋによって現像された４色のトナー像（トナー画像）は、中間転写ベルト１４が１周する間に中間ベルト１４上に重ね合される。
【００２１】
給紙トレイ１６の上方には、給紙ローラ１８が、給紙トレイ１６にセットされた用紙Ｐの搬送方向先端部に当接するように配列されている。更に、用紙Ｐを搬送する搬送経路１９が、給紙トレイ１６における給紙ローラ１８を設けた側から後述する転写部２２および定着部２８を経由して集積トレイ１７に向かって上方にＳ字状に延びている。搬送経路１９には搬送ローラ２０が２組配置されている。用紙Ｐは、給紙ローラ１８と用紙捌き手段（図示せず。）とにより、図１において二点鎖線の矢印によって示す搬送方向に沿って１枚ずつ給紙トレイ１６から搬送経路１９に沿って搬送ローラ２０によって上方に搬送され、転写部２２および定着部２８を経由して集積トレイ１７へと搬送される。
【００２２】
転写部２２には、中間転写ベルト１４が巻き掛けられたベルト搬送ローラ２４Ａと、ベルト搬送ローラ２４Ａに圧接された転写ローラ２６と、が配設されている。ベルト搬送ローラ２４Ａと転写ローラ２６とのニップ部には、中間転写ベルト１４が挟み込まれ、用紙Ｐがこのニップ部を通過する際に、中間転写ベルト１４からトナー像が転写される。
【００２３】
転写部２２の上方には、定着ユニット２８が配設されている。定着ユニット２８は、ヒートローラ２８Ａと、ヒートローラ２８Ａに圧接されたバックアップローラ２８Ｂと、を有し、用紙Ｐが、ヒートローラ２８Ａとバックアップローラ２８Ｂとのニップ部を通過するとトナーが溶融、凝固してトナー像が定着される。定着部２８でトナー像が定着された用紙Ｐは、定着ユニット２８の搬送方向下流側に配置された排紙ローラ２９によって集積トレイ１７に排紙される。
【００２４】
以下、プリント部３０について更に詳細に説明する。
【００２５】
図１および図２に示すように、中間転写ベルト１４は、ベルト搬送ローラ２４Ａと、ベルト搬送ローラ２４Ａの下方に配設されたベルト搬送ローラ２４Ｂと、ベルト搬送ローラ２４Ｂの斜め上方であって搬送経路１９の反対側に配設されたベルト搬送ローラ２４Ｃと、に巻き掛けられて支持されている。
【００２６】
中間転写ベルト１４の外側の面は、トナー画像が転写される転写面１４Ａであり、転写面１４Ａに面して、現像ユニット１２Ｃ、１２Ｍ、１２Ｙ、１２Ｋと、感光体１３Ｃ、１３Ｍ、１３Ｙ、１３Ｋと、が並列して配置され、感光体１３Ｃ、１３Ｍ、１３Ｙ、１３Ｋが転写面１４Ａに当接している。一方、中間転写ベルト１４を挟んで感光体１３Ｃ、１３Ｍ、１３Ｙ、１３Ｋの反対側には転写ローラ３２Ｃ、３２Ｍ、３２Ｙ、３２Ｋが配設され、中間転写ベルト１４は、転写ローラ３２Ｃ、３２Ｍ、３２Ｙ、３２Ｋによって感光体１３Ｃ、１３Ｍ、１３Ｙ、１３Ｋに圧接されている。
【００２７】
感光体１３Ｃ、１３Ｍ、１３Ｙ、１３Ｋは、図２において矢印ｂで示すように反時計回り方向に回転する。
【００２８】
なお、図２において矢印ａで示す中間転写ベルト１４の回転方向に対して感光体１３Ｋの下流側に隣接し、転写面１４Ａに面してトナー濃度検出センサ１５が配設されている。トナー濃度検出センサ１５は、転写面１４Ａに転写されたトナーの濃度を検出する機能を有する。
【００２９】
以下、現像ユニット１２Ｃ、１２Ｍ、１２Ｙ、１２Ｋ、および感光体１３Ｃ、１３Ｍ、１３Ｙ、１３Ｋについて説明する。以下、現像ユニット１２Ｃ、１２Ｍ、１２Ｙ、１２Ｋを「現像ユニット１２」と総称し、感光体１３Ｃ、１３Ｍ、１３Ｙ、１３Ｋを「感光体１３」と総称することがある。
【００３０】
図３に示すように、感光体１３の回りには、回転方向ｂに沿って順に中間転写ベルト１４、ブラシローラ３４、帯電ローラ３６、現像ユニット１２が設けられている。中間転写ベルト１４、ブラシローラ３４、帯電ローラ３６は何れも感光体１３の感光面１３Ａ（表面）に当接している。また、帯電ローラ３６と現像ユニット１２との間には、感光面１３Ａをライン露光するＬＥＤアレイヘッド４０が配置されている。
【００３１】
現像ユニット１２は、感光体１３に相対（対向）するように配設された現像ローラ３８と、現像ローラ３８の下方に位置し、現像ローラ３８の表面（周面）に現像剤としての二成分系現像剤を供給するスクリューフィーダ３９Ａおよび３９Ｂと、現像ローラ３８とスクリューフィーダ３９Ａおよび３９Ｂとを収容する筐体３７と、を備える。二成分系現像剤は、トナーと磁性キャリア粒子とを主用成分として含有して、磁性を有している。筐体３７の感光体１３に相対する部分には開口部３７Ａが設けられている。
【００３２】
図４に示すように、現像ローラ３８は、感光面１３Ａとの間に間隙即ち現像ギャップが形成されるように配設されている。現像ローラ３８は、回転抑制手段としての円柱状または円筒状のマグネットロール３８Ｂと、マグネットロール３８Ｂに被せられたスリーブ３８Ａと、を有する。マグネットロール３８Ｂは、カラープリンタ１０に対して固定され、スリーブ３８Ａは、図４において矢印ｃで示すように、マグネットロール３８Ｂの軸線の回りを、感光体１３の回転方向ｂと同じ反時計回り方向、言い換えれば感光体１３との対向部において感光体１３に相対するような方向（感光体１３と逆方向）に回転し、更に換言すればアゲインスト回転している。これにより、現像ローラ３８から感光体１３へのトナーの転移（搬送）効率が高められている。
【００３３】
マグネットロール３８Ｂはフェライトや希土類磁石合金などの磁性材料の粉末を円柱状または円筒状に成形したマグローラであり、Ｎ極とＳ極とが所定のパターンで配設されるように着磁しつつ燒結することにより、形成される。前記着磁パターンとしては、感光体１３に相対する部分が現像極Ｓ１であり、スリーブ３８Ａの回転方向ｃに沿って現像極Ｓ１の隣にピックオフ極Ｎ１が位置し、その隣にピックアップ極Ｎ２、トリミング極Ｓ２、搬送極Ｎ３の順で磁極が配置されるパターンなどが挙げられるが、着磁パターンは、これには限定されない。なお、現像極Ｓ１とトリミング極Ｓ２とは何れもＳ極であり、ピックオフ極Ｎ１、ピックアップ極Ｎ２、搬送極Ｎ３は何れもＮ極である。
【００３４】
（２）作用
カラープリンタ１０の作用について説明する。
【００３５】
感光体１３は、一定速度で回転方向ｂへ回転する。したがって、感光面１３Ａが、帯電ローラ３６によってマイナスに帯電される。次いで、感光面１３Ａの帯電面がＬＥＤアレイヘッド４０によって露光されることにより、前記帯電面の露光部分の電位が低下して静電潜像（潜像）が形成される。そして、現像ユニット１２において、現像ローラ３８によって、感光体１３と同様にマイナス電圧に帯電されたトナーが感光面１３Ａに形成された静電潜像、即ち帯電面の電位低下部に電気的に付着されて、静電潜像が現像され、トナー画像が形成される。感光面１３Ａ上に付着したトナーは、前記トナーと逆極性のプラスの転写電圧が印加された転写ローラ３２によって中間転写ベルト１４に向かって電気的に引き寄せられる。これによって、感光面１３Ａ上のトナー像が、感光体１３から中間転写ベルト１４へと転写される。
【００３６】
以下、現像ローラ３８における現像過程について詳細に説明する。
【００３７】
スリーブ３８Ａが回転方向ｃに沿って回転すると、先ず、スクリューフィーダ３９Ａ、３９Ｂで筐体３７内部に供給された二成分系現像剤は、ピックアップ極Ｎ２によってスリーブ３８Ａの表面に吸着される。ここで、スリーブ３８Ａの表面には、搬送極Ｎ３から現像極Ｓ１に向かう磁界、ピックオフ極Ｎ１から現像極Ｓ１に向かう磁界、ピックアップ極Ｎ２からトリミング極Ｓ２に向かう方向の磁界、および搬送極Ｎ３からトリミング極Ｓ２に向かう磁界が形成され、しかも二成分系現像剤は、磁性キャリア粒子の表面にトナーが付着した構造を有している。したがって、図５に示すように、スリーブ３８Ａの表面に吸着された二成分系現像剤は、スリーブ３８Ａの表面において前記磁界の方向（磁束密度ベクトルＢの方向）に沿った磁力線の方向に磁性キャリア粒子が配列され、磁気ブラシ４２を形成する。
【００３８】
ピックアップ極Ｎ２の近傍においてスリーブ３８Ａの表面に形成（保持）された磁気ブラシ４２は、スリーブ３８Ａが回転方向ｃに沿って回転するのに伴い、スリーブ３８Ａの表面に沿ってトリミング極Ｓ２→搬送極Ｎ３→現像極Ｓ１→ピックオフ極Ｎ１へと図５の右から左に向かって搬送（移動）される。そしてトリミング極Ｓ２を通過するときに磁気ブラシ４２の高さが揃えられ、現像極Ｓ１近傍において磁気ブラシ４２上のトナーが感光体１３に移行し（搬送され）、スリーブ３８Ａの表面には殆ど磁性キャリア粒子だけになった磁気ブラシ４２が残る。殆ど磁性キャリア粒子だけになった磁気ブラシ４２は、スリーブ３８Ａの回転に伴い、ピックオフ極Ｎ１でスリーブ３８Ａの表面から脱落して筐体３７内に戻る。
【００３９】
このようにスリーブ３８Ａが回転方向ｃに沿って回転することにより、ピックアップ極Ｎ２において常に新鮮な二成分系現像剤が補充されて現像極Ｓ１に搬送され、現像極Ｓ１においてトナーが感光体１３に移行して感光面１３Ａの静電潜像が現像される。
【００４０】
ところで、図４において、現像ローラ３８の上方を現像ローラ３８の中心角の０度とし、現像ローラ３８の時計回りの方向（回転方向ｃの反対方向）を現像ローラ３８の中心角の正の方向とすると、現像ローラ３８の現像極Ｓ１における中心角略２４０〜２７０度の部分の表面に形成される磁気ブラシ４２が感光体１３の感光面１３Ａに接触されて、感光面１３Ａの静電潜像が現像される（図５参照）。これにより、現像ローラ３８の中心角略２４０〜２７０度の部分の表面に形成される磁気ブラシ４２が配置される感光体１３と現像ローラ３８との間の領域（間隙）が現像ニップＮにされて、現像ローラ３８の中心角略２４０〜２７０度の部分の表面が現像ニップＮに接触する接触領域Ｔにされている。
【００４１】
現像ニップＮにおいては、感光面１３Ａへの付着物（例えば帯電ローラ３６による帯電時に付着する放電生成物）を磁気ブラシ４２が掻き取ると共に、現像ニップＮの感光体１３回転方向ｂ下流側端部においては、感光面１３Ａにトナー画像が形成される。
【００４２】
ここで、図５乃至図７に示すように、接触領域Ｔよりスリーブ３８Ａ回転方向ｃ上流側（現像ローラ３８のプレニップ領域側かつ感光体１３の回転方向ｂの下流側である感光体１３のポストニップ領域側）における現像ローラ３８の中心角１０度の範囲内において、接触領域Ｔ側への変位に伴い磁気ブラシ４２を構成する二成分系現像剤の穂（磁束に沿って鎖状に連なった二成分系現像剤）の現像ローラ３８表面からの起き上がる状態、即ち、現像ローラ３８表面から感光体１３側へ二成分系現像剤の穂が回転しつつ起き上がる磁気ブラシ４２の回転が抑制されて、現像ローラ３８表面における磁束密度ベクトルＢの現像ローラ３８表面に対する角度θ（当該磁束密度ベクトルＢとの交点におけるスリーブ３８Ａ表面の反回転方向ｄ（接線方向）と当該磁束密度ベクトルＢとの角度）の変化が１０度以下とされている。
【００４３】
従来のように接触領域Ｔよりスリーブ３８Ａ回転方向ｃ上流側において接触領域Ｔ側への変位に伴う磁気ブラシ４２の現像ローラ３８表面に対する感光体１３側への回転が抑制されないと、現像ニップＮの感光体１３回転方向ｂ下流側端部において、磁気ブラシ４２が現像ローラ３８表面に対して感光体１３側へ大きく回転されながら、かつ、感光面１３Ａに対する磁気ブラシ４２の角度が大きくなって、磁気ブラシ４２が感光面１３Ａに衝突する。このため、図８に破線Ｋで示すように、現像ニップＮの感光体１３回転方向ｂ下流側端部において、磁気ブラシ４２の感光面１３Ａへの機械的摺擦による作用力（摺擦力）が大きくなって（最大値になって）、感光面１３Ａに形成されるトナー画像が大きく損傷され、補修されることなく中間転写ベルト１４へ転写されるトナー画像へのブラシマークの発生を抑制できない。
【００４４】
一方、本実施の形態のように接触領域Ｔよりスリーブ３８Ａ回転方向ｃ上流側において接触領域Ｔ側への変位に伴う磁気ブラシ４２の現像ローラ３８表面に対する感光体１３側への回転が抑制されると、現像ニップＮの感光体１３回転方向ｂ下流側端部において、磁気ブラシ４２の現像ローラ３８表面に対する感光体１３側への回転が抑制されながら、かつ、感光面１３Ａに対する磁気ブラシ４２の角度が小さくされて、磁気ブラシ４２が感光面１３Ａに衝突する。このため、図８に実線Ｌで示すように、現像ニップＮの感光体１３回転方向ｂ下流側端部において、磁気ブラシ４２の感光面１３Ａへの機械的摺擦による作用力（摺擦力）が大きくなることを抑制できて、感光面１３Ａに形成されるトナー画像の損傷を抑制することができ、補修されることなく中間転写ベルト１４へ転写されるトナー画像へのブラシマークの発生を抑制できる。
【００４５】
しかも、現像ローラ３８表面の磁束密度を小さくして磁気ブラシ４２の剛性を低下させなくても、感光面１３Ａに形成されるトナー画像の損傷を抑制できる。このため、磁気ブラシ４２の剛性低下によって磁気ブラシ４２による感光面１３Ａ付着物の掻き取り力が低下することを防止でき、現像性が低下することを防止できる。
【００４６】
さらに、磁束密度ベクトルＢの現像ローラ３８表面に対する角度θの変化が抑制される範囲が狭くされている（現像ローラ３８の中心角１０度の範囲にされている）。このため、マグネットロール３８Ｂの磁極配置等の設計自由度を阻害することを抑制しつつ現像ユニット１２を構成することができる。
【００４７】
また、図９に示すように、接触領域Ｔよりスリーブ３８Ａ回転方向ｃ上流側における現像ローラ３８の中心角１０度の範囲内において、磁束密度ベクトルＢの現像ローラ３８表面に対する角度θの変化を１０度以下とすれば、トナー画像へのブラシマークの発生量を略同一レベルで抑制できる。
【００４８】
なお、本実施の形態では、接触領域Ｔより感光体１３回転方向ｂ下流側における現像ローラ３８の中心角１０度の範囲内において接触領域Ｔ側への変位に伴う磁気ブラシ４２の現像ローラ３８表面に対する角度の感光体１３側への変化を１０度以下とした構成としたが、接触領域Ｔより感光体１３回転方向ｂ下流側における現像ローラ３８の少なくとも中心角１０度の範囲内において接触領域Ｔ側への変位に伴う磁気ブラシ４２の現像ローラ３８表面に対する角度の感光体１３側への変化を、２０度以下（好ましくは１５度以下）とした構成としてもよい。また、接触領域Ｔより感光体１３回転方向ｂ下流側において、接触領域Ｔ側への変位に伴い、磁気ブラシ４２が現像ローラ３８表面に対して回転されないか、又は、磁気ブラシ４２が現像ローラ３８表面に対して現像ローラ３８側へ回転される構成としてもよい。
【００４９】
さらに、本実施の形態では、感光体１３と現像ローラ３８との対向部において感光体１３と現像ローラ３８（スリーブ３８Ａ）とを逆方向へ回転させる構成としたが、感光体１３と現像ローラ３８との対向部において感光体１３と現像ローラ３８（スリーブ３８Ａ）とを同一方向へ回転させる構成としてもよい。
【００５０】
また、本実施の形態では、現像ローラ３８表面に保持された磁気ブラシ４２が感光体１３（感光面１３Ａ）に摺擦（接触）する構成としたが、現像ローラ３８表面に保持された磁気ブラシ４２が感光体１３（感光面１３Ａ）に摺擦（接触）しない構成としてもよい。
【図面の簡単な説明】
【００５１】
【図１】本発明の実施の形態に係るカラープリンタの構成の概略を示す概略断面図である。
【図２】本発明の実施の形態に係るカラープリンタのプリント部の構成を示す拡大図である。
【図３】本発明の実施の形態に係るカラープリンタの現像ユニット及びその近辺の構成を示す拡大断面図である。
【図４】本発明の実施の形態に係るカラープリンタの現像ローラの構成を示す拡大断面図である。
【図５】本発明の実施の形態に係るカラープリンタの現像ローラ表面における磁気ブラシの形成状況を示す模式図である。
【図６】本発明の実施の形態に係るカラープリンタの現像ローラ表面における磁束密度の現像ローラ径方向成分（Ｂｒ）及び現像ローラ接線方向成分（Ｂｔ）と現像ローラの中心角との関係を示すグラフである。
【図７】本発明の実施の形態に係るカラープリンタの現像ローラ表面における磁束密度ベクトルの現像ローラ表面に対する角度θと現像ローラの中心角との関係を示すグラフである。
【図８】本発明の実施の形態に係るカラープリンタ及び従来のカラープリンタにおける感光体（感光面）への磁気ブラシの機械的摺擦による作用力（摺擦力）と感光面の周方向位置との関係を示すグラフである。
【図９】本発明の実施の形態に係るカラープリンタにおいて、接触領域よりスリーブ回転方向上流側における現像ローラの中心角１０度の範囲内での磁束密度ベクトルの現像ローラ表面に対する角度θの変化と、トナー画像へのブラシマークの発生量と、の関係を示すグラフである。
【符号の説明】
【００５２】
１０    カラープリンタ（画像形成装置）
１３    感光体
３８    現像ローラ
３８Ｂ  マグネットロール（回転抑制手段）
４２    磁気ブラシ
Ｂ    磁束密度ベクトル
Ｎ    現像ニップ
Ｔ    接触領域
【図１】
2006267488.tif 000003
【図２】
2006267488.tif 000004
【図３】
2006267488.tif 000005
【図４】
2006267488.tif 000006
【図５】
2006267488.tif 000007
【図６】
2006267488.tif 000008
【図７】
2006267488.tif 000009
【図８】
2006267488.tif 000010
【図９】
2006267488.tif 000011